(57)【要約】      （修正有）【課題】収納したマスクが飛び出したり落ちたりすること等を防ぐことを可能とした簡易な構成の二つ折りのマスクホルダーを提供する。【解決手段】マスクホルダー１０において、二つ折りにされた台紙の一方１０２には、二つ折りの谷折り線１０６に対して外縁側の所定の位置に係止用の切り抜き１０３又は切り込みが形成され、他方の台紙１０１には、一方の台紙の係止用の切り抜き又は切り込みに対応する位置に、差し込み片１０５を画定する切り込みパターンが形成されており、二つ折り内側にマスク２０が収納され、他方の台紙の差し込み片が一方の台紙の係止用の切り抜き又は切り込みに差し込まれる。【選択図】図２
0003230550.tif 000002
【実用新案登録請求の範囲】
【請求項１】
二つ折りにされた台紙の一方には、二つ折りの谷折り線に対して外縁側の所定の位置に係止用の切り抜き又は切り込みが形成され、他方の台紙には、前記一方の台紙の前記係止用の切り抜き又は切り込みに対応する位置に、差し込み片を画定する切り込みパタンが形成されており、
二つ折り内側にマスクが収納され、前記他方の台紙の前記差し込み片が前記一方の台紙の前記係止用の切り抜き又は切り込みに差し込まれる、マスクホルダー。
【請求項２】
前記一方の台紙には、前記外縁側の所定の位置に、係止用の前記切り抜きが形成され、
前記他方の台紙には、前記一方の台紙の前記切り抜きに対応する位置に、前記差し込み片が切り抜かれており、
二つ折り内側に前記マスクが収納された状態で、前記他方の台紙の前記差し込み片は、二つ折り内側から前記一方の台紙の前記切り抜きに差し込まれる、請求項１記載のマスクホルダー。
【請求項３】
前記差し込み片は、前記差し込み片の先端側を幅広とし前記先端側と反対側の基部側を幅狭とした形状を有し、
前記切り抜きは、互いに連通した幅広部と幅狭部を有する、請求項２に記載のマスクホルダー。
【請求項４】
前記二つ折りにされた台紙において、前記一方の台紙の前記切り抜きと、前記切り抜きに対応する前記他方の台紙の前記差し込み片との組が、複数組形成されてなる、請求項２に記載のマスクホルダー。
【請求項５】
前記一方の台紙には、前記一方の台紙の外縁から、前記谷折り線に平行又は直交する方向に所定長さの第１の切り込みが形成されており、
前記他方の台紙には、前記一方の台紙の前記第１の切り込みに対応する位置に、前記他方の台紙の外縁から、前記第１の切り込みに直交する方向に所定長さの第２の切り込みが形成されており、前記第２の切り込みと前記他方の台紙の外縁角部とで前記差し込み片を画定し、
二つ折り内側に前記マスクが収納された状態で、前記差し込み片は、二つ折り内側から前記第１の切り込みに差し込まれる、請求項１記載のマスクホルダー。
【請求項６】
前記二つ折りにされた台紙において、前記一方の台紙の前記第１の切り込みと、前記第１の切り込みに対応する前記他方の台紙の前記第２の切り込みかとの組が、複数組形成されてなる、請求項５記載のマスクホルダー。
【請求項７】
前記第１の切り込みと前記第２の切り込みの少なくとも一方は、切り込みの線上またはは延長線上に少なくとも１つの切り残し部を有する、請求項５記載のマスクホルダー。
【請求項８】
前記第１の切り込みと前記第２の切り込みの少なくとも一方は、外縁側と反対側の端部が小円状に切り抜かれている、請求項５記載のマスクホルダー。
【請求項９】
前記一方の台紙は、
前記谷折り線に平行な辺に形成された切り欠き凹部と、
前記切り欠き凹部から離間して形成された係止用の前記切り抜きと、
を有し、
前記他方の台紙は、
前記谷折り線に平行な辺の前記一方の台紙の前記切り欠き凹部に対応する位置に、前記差し込み片の輪郭を画定する切り込みが形成され、
二つ折り内側に前記マスクが収納され、前記他方の台紙の前記差し込み片は、前記一方の台紙の前記切り欠き凹部を介して折曲され二つ折り外側から前記一方の台紙の前記切り抜きに差し込まれる、請求項１記載のマスクホルダー。
【請求項１０】
前記一方の台紙と前記他方の台紙の前記谷折り線と直交する二辺のうちの一つの辺の外縁部の端から端まで、または、その一部が接着されてなる、請求項１乃至９のいずれか１項に記載のマスクホルダー。
【請求項１１】
前記二つ折り加工される台紙が抗菌処理されてなる、請求項１乃至１０のいずれか１項に記載のマスクホルダー。
【考案の詳細な説明】
【技術分野】
【０００１】
本発明は、マスクを収納するマスクホルダーに関する。
【背景技術】
【０００２】
利用者が飲食時等に外したマスクを収納するマスクホルダー（「マスクケース」ともいう）を配布するサービスを提供するレストランやホテル等が増えている。レストランやホテル等で提供される使い捨てマスクホルダーの中には二つ折り加工されただけのものがある。
【０００３】
なお、特許文献１には、図１２に示すように、三つ折り加工され、上辺（ａ）と底辺（ｂ）は山折になっており、左辺（ｅ）で圧着され、辺（ａ）と底辺（ｂ）及び左辺（ｅ）は閉じた状態になっている。右辺（ｃ）と右辺（ｄ）、（ｆ）は開口しているため、ここからマスクを出し入れすることができるようにしたマスク収納ケースが開示されている。さらに、三つ折り加工され、表紙部が蓋となることで、収納したマスクの落下を防ぐようにした紙製マスクケースも製造販売されている。
【先行技術文献】
【特許文献】
【０００４】
【特許文献１】実用新案登録第３１７０８２７号公報
【考案の概要】
【考案が解決しようとする課題】
【０００５】
二つ折り加工されただけのマスクホルダーでは、二つ折りにされた台紙の間にマスクが収納されるが、レストランやホテル等において、例えば、テーブルに運ばれる料理や飲料等を置くために該テーブル上のマスクホルダーを移動させる場合、手や腕、物がマスクホルダーにあたった場合、あるいは、利用者がマスクを収納したマスクホルダーを持ち歩いたりする場合等に、二つ折りされた台紙の間からマスクが飛び出したりこぼれ落ちたりすること等が起こり得る。
【０００６】
一方、二つ折りのマスクホルダーは、コスト、操作性、簡易な構造（嵩張らない）等の点で、レストランやホテル等でサービスとして提供されるマスクホルダーとして好適とされる。
【０００７】
そこで、本考案は、台紙自体の加工だけの簡易な構成で、収納したマスクが飛び出したり落ちたりすること等を防ぐことを可能とした二つ折りのマスクホルダーを提供することを目的とする。
【課題を解決するための手段】
【０００８】
本考案に係るマスクホルダーは、二つ折りにされた台紙の一方には、二つ折りの谷折り線に対して外縁側の所定の位置に係止用の切り抜き又は切り込みが形成され、他方の台紙には、前記一方の台紙の前記係止用の切り抜き又は切り込みに対応する位置に、差し込み片を画定する切り込みパタンが形成されており、二つ折り内側にマスクが収納され、前記他方の台紙の前記差し込み片が前記一方の台紙の前記係止用の切り抜き又は切り込みに差し込まれる構成とされる。
【考案の効果】
【０００９】
本発明によれば、台紙自体の加工だけの簡易な構成で、収納したマスクが飛び出したり落ちたりすること等を防ぐことを可能とした二つ折りのマスクホルダーを提供可能としている。
【図面の簡単な説明】
【００１０】
【図１】（Ａ）、（Ｂ）は本発明の実施形態の構成を説明する図である。
【図２】（Ａ）、（Ｂ）は本発明の実施形態の変形例を説明する図である。
【図３】（Ａ）、（Ｂ）は本発明の実施形態の第２の変形例の構成を説明する図である。
【図４】（Ａ）、（Ｂ）は本発明の実施形態の第２の変形例の変形を説明する図である。
【図５】（Ａ）、（Ｂ）は本発明の実施形態の第３変形例の構成を説明する図である。
【図６】（Ａ）、（Ｂ）は本発明の実施形態の第３の変形例の変形を説明する図である。
【図７】（Ａ）、（Ｂ）は本発明の実施形態の第４の変形例の構成を説明する図である。
【図８】（Ａ）、（Ｂ）は本発明の実施形態の第４の変形例の変形を説明する図である。
【図９】（Ａ）、（Ｂ）は本発明の実施形態の第５の変形例の構成を説明する図である。
【図１０】（Ａ）、（Ｂ）は本発明の実施形態の第５の変形例の変形を説明する図である。
【図１１】（Ａ）、（Ｂ）は本発明の実施形態の第５の変形例のさらなる変形を説明する図である。
【図１２】関連技術を説明する図である。
【考案を実施するための形態】
【００１１】
図１（Ａ）、（Ｂ）は、本考案の一実施形態の構成を説明する図である。図１（Ａ）は、二つ折りされたマスクホルダー１０を展開した平面模式図である。図１（Ａ）を参照すると、本考案の一実施形態に係るマスクホルダー１０において、二つ折り加工された台紙の一方である台紙１０２（図１（Ａ）の右半分の台紙）には、外縁側の所定の位置（図１では上方角部付近）に、係止用の切り抜き１０３（スリット）が形成され、他方の台紙１０１（図１（Ａ）の左半分の台紙）には、一方の台紙１０２の切り抜き１０３に対応する位置（上方角部付近）に、差し込み片（係止片）１０５のパターン（輪郭）を画定する切り込み１０４のパタンが形成されている。また、図１（Ａ）の例では、差し込み片（係止片）１０５は舌片（爪）形状とされている。切り抜き１０３及び差し込み片（係止片）１０５は、例えば台紙の型抜き加工等で形成される。
【００１２】
差し込み片１０５の最大幅（差し込み方向に直交する幅の最大値）は、切り抜き１０３の長辺の長さに対応する幅（同等幅）に設定されている。なお、図１（Ａ）では、台紙１０１の差し込み片（係止片）１０５の先端が、二つ折りの谷折り１０６（折り畳み線）に対向する辺と連なるように形成されているが、差し込み片（係止片）１０５の位置は、図１（Ａ）の位置に制限されるものでないことは勿論である。例えば差し込み片（係止片）１０５の先端が、台紙１０１の谷折り１０６（折り畳み線）に対向する辺から離間し谷折り１０６側に位置するようにしてもよい。
【００１３】
また、差し込み片１０５の長さは、図示のものに限定されず、さらに長くてもよい。差し込み片１０５の長さを増すことで、切り抜き１０３に挿通（差し込ませた）させた差し込み片１０５は切り抜き１０３から抜けにくくなる。差し込み片１０５の長さを図示のものより長くした場合、切り抜き１０３の位置は図示のものより谷折り１０６側の位置に形成される。なお、差し込み片１０５の形状は、舌片（爪）形状に限定されるものでないことは勿論である。
【００１４】
図１（Ａ）の例では、切り抜き１０３は、二つ折りの谷折り１０６（折り畳み線）に平行に形成されているが、切り抜き１０３の配置角度は、これらの角度に制限されるものでないことは勿論である。
【００１５】
さらに、図１（Ａ）の例では、谷折り１０６を、二つ折りにされる台紙（台紙１０１＋台紙１０２）の長辺のセンターとしているが、センターからずらしたずらし折り加工であってもよいことは勿論である。そして、台紙１０１、１０２の差し込み片１０５、切り抜き１０３は、台紙１０２、１０１に形成してもよいことは勿論である。
【００１６】
二つ折り加工される台紙（シート）１０１、１０２は両面抗菌処理されている。なお、台紙（シート）１０１、１０２は紙材に制限されるものでなく、例えば抗菌ポリシート（Low Density Polyethylene）等であってもよい。以下に説明される実施形態（各変形例）についても同様である。
【００１７】
図１（Ａ）に例示したように、二つ折り加工した一方と他方の台紙１０１、１０２は、谷折り１０６と直交する二辺のうち一方の辺（底辺）側の外縁部（下部）の接着領域１０８で接合され、該一方（底辺）の辺側で閉じており、該一片の辺と対向する他方の辺側は開放されている。台紙（シート）が紙の場合、糊付け加工され、ポリプロピレンシートの場合、溶着（圧着）加工される。なお、図１（Ａ）の例では、接着領域１０８は、各台紙１０１、１０２の端から端までに亘って形成されているが、その一部に接着領域１０８を形成する構成としてもよい。例えば、市販のクリアファイル等と同様に、各台紙１０１、１０２の谷折り１０６から所定長さの区間、接着領域１０８を設けない構成としてもよいことは勿論である。
【００１８】
図１（Ｂ）は、マスクホルダー１０の二つ折り内側にマスク２０を収納した状態を、台紙１０２の表側（二つ折りの表側）からみた側面模式図である。図１（Ｂ）において、１０７は、図１（Ａ）の二つ折りの谷折り１０６の表側の山折りである。
【００１９】
図１（Ｂ）を参照すると、利用者は、二つ折りされ、谷折り１０６と直交する二辺のうち一方の辺側で閉じているマスクホルダー１０にマスク２０を収納した状態で、台紙１０１の差し込み片１０５を台紙１０１の面から浮かせ、二つ折り内側から、台紙１０２の切り抜き１０３に差し込んで二つ折り外側（台紙１０２の表側）に突出させる。この操作により、二つ折りに折り畳まれた一方と他方の台紙１０１、１０２の間、すなわち二つ折り内側にマスク２０を収納したマスクホルダー１０において、台紙１０１と台紙１０２は二つ折りに折り畳まれた状態に係止（保持）される。
【００２０】
この状態のマスクホルダー１０からマスク２０を取り出すときは、台紙１０１と台紙１０２が二つ折りに折り畳まれた状態に係止されたマスクホルダー１０の接着された辺と対向する辺側からそのままマスク２０を抜き出すか、あるいは、台紙１０２の切り抜き１０３に差し込まれた台紙１０１の差し込み片１０５を該切り抜き１０３から引き抜くことで、台紙１０１と台紙１０２の係止状態を解除し、台紙１０１と台紙１０２の間隔を拡げやすくしてから、マスク２０を取り出すようにしてもよい。
【００２１】
本実施形態によれば、マスクホルダー１０の台紙自体の加工（例えば切り抜き、切り込み）による簡易な構成で、二つ折り加工された台紙１０１、１０２が二つ折りに折り畳まれた状態に係止される。このため、二つ折り内側に収納したマスク２０が、台紙１０１、１０２が開いてマスクホルダー１０から飛び出したり落ちたり（こぼれ落ちたり）すること等を防ぐことができる。また、マスクホルダー１０の谷折り１０６に直交する２辺のうちの一つが接着され閉じているため、マスクホルダー１０の当該辺が下側になっても、該辺からマスク２０が落下することが回避される。
【００２２】
なお、図１（Ｂ）の例では、マスク２０の両側の耳ひも２１を内側に折り畳んでいるが、例えばマスクホルダー１０の接着領域１０８（図の下側）と反対側（図の上辺側）に位置する耳ひも２１は内側に折り畳まなくてもよい。
【００２３】
図２（Ａ）、（Ｂ）は、図１（Ａ）、（Ｂ）を参照して説明した本考案の実施形態の第１の変形例を説明する図であり、図１（Ａ）、（Ｂ）に対応する。図２（Ａ）を参照すると、マスクホルダー１０において、二つ折り加工された一方の台紙１０２（図２（Ａ）の右半分の台紙）には、外縁側の所定の位置（図２では上方角部付近）に、係止用の切り抜き１０３が形成され、他方の台紙１０１（図２（Ａ）の左半分の台紙）には、一方の台紙１０２の切り抜き１０３に対応する位置（上方角部付近）に、差し込み片（係止片）１０５が形成されている。図２（Ａ）、（Ｂ）に示すように、差し込み片（係止片）１０５と係止用の切り抜き１０３の形状が、図１（Ａ）のそれぞれの形状と相違している。
【００２４】
図２（Ａ）に例示するように、差し込み片１０５は、その先端部側が幅広、先端と反対側の基部側が幅狭の２段形状とされ、先端部の両側は、角丸加工されている。すなわち、差し込み片１０５は、幅狭部の基部から両側に拡延された傘（キノコ）型の形状とされている。切り抜き１０３の形状も、差し込み片１０５に対応して幅広部と幅狭部の２段構成とされる。切り抜き１０３の幅広部と幅狭部の幅は、差し込み片１０５の幅広部と幅狭部の幅にそれぞれ対応している。
【００２５】
図２（Ａ）に例示するように、二つ折り加工した一方と他方の台紙１０１、１０２は、谷折り１０６と直交する二辺のうち一方の辺（底辺）側の外縁部（下部）の接着領域１０８で接合され、該一方（底辺）の辺側で閉じており、該一片の辺と対向する他方の辺側は開放されている。なお、図２（Ａ）の例では、接着領域１０８は、各台紙１０１、１０２の端から端までに亘って形成されているが、その一部に接着領域１０８を形成する構成としてもよい
【００２６】
図２（Ｂ）は、マスク２０を二つ折り内側に収納したマスクホルダー１０を台紙１０２の表側からみた側面模式図である。図２（Ｂ）を参照すると、利用者は、二つ折りされたマスクホルダー１０にマスク２０を収納した状態で、台紙１０１の差し込み片１０５の先端部を台紙１０１の面から浮かせ、二つ折り内側から、差し込み片１０５の先端部を、台紙１０２の切り抜き１０３の幅広部から差し込んで二つ折り外側（台紙１０２の表側）に突出させる。この操作により、台紙１０１と台紙１０２の間、すなわち二つ折り内側にマスク２０を収納したマスクホルダー１０において、台紙１０１と台紙１０２は二つ折りに折り畳まれた状態に係止（保持）される。
【００２７】
不織布マスク等では装着時に顔（鼻等）形状にフィットするノーズワイヤ等を備えている。使用前のマスクが平坦であっても、使用時のマスク２０は鼻、顎等の形状にフィットし、顔から外したマスク２０は、顔にフィットしたノーズワイヤ等により、ある程度立体形状（高さ、あるいは厚み）を保持している。立体マスクについても同様である。
【００２８】
図２（Ｂ）の例では、顔にフィットしたマスク２０のノーズワイヤ等により、二つ折りに畳まれた台紙の一方（例えば図の１０２）が持ち上がる場合であっても、先端側が台紙１０２の表側に露出した差し込み片１０５の幅広部（拡延部）が、台紙１０２の切り抜き１０３の幅狭部で係止ロックされる。このため、台紙１０１と台紙１０２の係止（台紙１０１と台紙１０２が二つ折りに折り畳まれた状態に係止）が外れ、二つ折りされた台紙１０１と台紙１０２が開くことが抑制される。その結果、二つ折りされた台紙１０１と台紙１０２が開いてマスク２０がマスクホルダー１０から外に飛び出したり落ちたりすること等を防ぐことができる。なお、台紙１０１、１０２の差し込み片１０５、切り抜き１０３は、台紙１０２、１０１に形成してもよいことは勿論である。なお、差し込み片１０５の形状は、傘（キノコ）型の形状に制限されるものでないことは勿論である。
【００２９】
図３（Ａ）、（Ｂ）は、本考案の実施形態の第２の変形例を説明する図であり、実施形態を簡易化した例の一つである。図３（Ａ）は、二つ折りされたマスクホルダー１０を展開した平面模式図である。図３（Ａ）を参照すると、マスクホルダー１０において、二つ折り加工された一方（図３（Ａ）の左側）の台紙１０１には、台紙１０１の外縁側の縦方向中央部に切り抜き１０３が形成され、他方の台紙１０２には、一方の台紙１０１の切り抜き１０３に対応する位置に、差し込み片（係止片）１０５の爪部（舌片）の輪郭を画定する切り込み１０４のパタンが形成されている。
【００３０】
図３（Ｂ）は、マスク２０を二つ折り内側に収納したマスクホルダー１０を台紙１０１の表側からみた側面模式図である。図３（Ｂ）を参照すると、利用者は、二つ折りされたマスクホルダー１０にマスク２０を収納した状態で、台紙１０２の差し込み片１０５を台紙１０２の面から浮かせ、二つ折り内側から、台紙１０１の切り抜き１０３を差し込んで二つ折り外側（台紙１０１の表側）に突出させる。マスク２０を収納したマスクホルダー１０の台紙１０１と台紙１０２は、二つ折りに折り畳んだ状態に係止される。
【００３１】
図３（Ａ）、（Ｂ）の例においても、マスク２０を収納したマスクホルダー１０は二つ折りに折り畳んだ状態に係止される構成とされているため、二つ折りされた台紙１０１、１０２が開いたりしてマスク２０が外に飛び出したり落ちたりすること等を抑制することができる。  
【００３２】
図４（Ａ）、（Ｂ）は、図３（Ａ）、（Ｂ）の変形例を説明する図である。図４（Ａ）に示すように、図３（Ａ）の構成において、二つ折り加工された台紙１０１、１０２の谷折り１０６と直交する二辺のうち一方の辺（底辺）側の外縁部（下部）の接着領域１０８で接合されている。二つ折り加工される台紙（シート）が紙の場合、糊付け加工され、ポリプロピレンシートの場合、溶着（圧着）加工される。なお、図４（Ａ）では、接着領域１０８は、各台紙１０１、１０２の端から端までに亘って形成されているが、その一部であってもよい。図４（Ｂ）に示すように、マスクホルダー１０の台紙１０１と台紙１０２は、二つ折りに折り畳んだ状態に係止（保持）される。このため、二つ折りに畳まれた台紙１０１と台紙１０２が開いて、収納したマスク２０がマスクホルダー１０から外に飛び出したり落ちたりすること等を抑制することができる。また、マスクホルダー１０の谷折り１０６に直交する２辺のうちの一つが接着され閉じているため、マスクホルダー１０の当該辺が下側になっても、該辺からマスク２０が落下することが回避される。
【００３３】
図５（Ａ）、（Ｂ）は、本考案の実施形態の第３の変形例を説明する図である。図５（Ａ）は、二つ折りされたマスクホルダー１０を展開した平面模式図である。図５（Ａ）を参照すると、本考案の一実施形態に係るマスクホルダー１０において、二つ折り加工された一方の台紙１０１には、外縁側の所定の位置（図５では上方角部）に、切り抜き１０３Ａが形成され、他方の台紙１０２には、一方の台紙１０１の切り抜き１０３Ａに対応する位置に、差し込み片（係止片）１０５Ａの輪郭（舌片（爪）形状）を画定する切り込み１０４Ａが形成されている。マスクホルダー１０は、さらに、一方の台紙１０１には、外縁側の所定の位置（図５では下方角部）に、係止用の切り抜き１０３Ｂが形成され、他方の台紙１０２には、一方の台紙１０１の切り抜き１０３Ｂに対応する位置に、差し込み片（係止片）１０５Ｂの輪郭（舌片（爪）形状）を画定する切り込み１０４Ｂが形成されている。差し込み片１０５Ａ、１０５Ｂの幅は切り抜き１０３Ａ、１０３Ｂの長辺の長さに対応している。
【００３４】
図５（Ａ）の例では、切り抜き１０３Ａ、１０３Ｂは、台紙１０１の横方向の辺に対してそれぞれ略４５°、１３５°傾斜して形成され、切り込み１０４Ａ、１０４Ｂは、台紙１０１の横方向の辺に対してそれぞれ略２２５°、１３５°傾斜して形成されているが、配置角度は、これらの角度に制限されるものでないことは勿論である。また差し込み片１０５Ａ、１０５Ｂの形状は、爪状（舌片状）に限定されるものでないことは勿論である。
【００３５】
さらに、図５（Ａ）の例では、二つ折りの谷折り１０６（折り畳み線）を、マスクホルダー１０の長辺のセンターとしているが、センターからずらしたずらし折り加工であってもよいことは勿論である。
【００３６】
図５（Ｂ）は、マスク２０を二つ折り内側に収納したマスクホルダー１０を台紙１０１の表側からみた側面模式図である。図５（Ｂ）を参照すると、利用者は、二つ折りされたマスクホルダー１０にマスク２０を収納した状態で、台紙１０２の差し込み片１０５Ａ、１０５Ｂをそれぞれ台紙１０２の面から浮かせ、二つ折り内側から、台紙１０１の切り抜き１０３Ａ、１０３Ｂにそれぞれ差し込み二つ折り外側（台紙１０１の表側）に突出させる。マスクホルダー１０の台紙１０１と台紙１０２は、二つ折りに折り畳んだ状態に係止（保持）される。このため、二つ折りに畳まれた台紙１０１と台紙１０２が開いて、マスク２０がマスクホルダー１０から外に飛び出したり落ちたりすること等を抑制することができる。
【００３７】
図６（Ａ）、（Ｂ）は、図５（Ａ）、（Ｂ）の変形例を説明する図である。図６（Ａ）の構成において、二つ折り加工された台紙１０１、１０２の谷折り１０６と直交する二辺のうち一方の辺（底辺）側の外縁部（下部）の接着領域１０８で接合されている。なお、図６（Ａ）では、接着領域１０８は、各台紙１０１、１０２の端から端までに亘って形成されているが、その一部であってもよい。なお、係止用の切り抜き１０３Ｂ、切り込み１０４Ｂを備えない構成としてもよい。図６（Ｂ）に示すように、マスクホルダー１０の台紙１０１と台紙１０２は、二つ折りに折り畳んだ状態に係止（保持）される。このため、二つ折りに畳まれた台紙１０１と台紙１０２が開いて収納したマスク２０がマスクホルダー１０から外に飛び出したり落ちたりすること等を抑制することができる。また、マスクホルダー１０の谷折り１０６に直交する２辺のうちの一つが接着され閉じているため、マスクホルダー１０の当該辺が下側になっても、該辺からマスク２０が落下することが回避される。
【００３８】
図７（Ａ）、（Ｂ）は、本考案の実施形態の第４の変形例を説明する図である。図７（Ａ）は、二つ折りされたマスクホルダー１０の台紙を展開した平面模式図である。図７（Ａ）を参照すると、マスクホルダー１０は、二つ折り加工された一方の台紙１０１が、二つ折り内側の折り畳み線である谷折り１０６に平行な辺に切り欠き凹部１０９が形成されている。さらに、切り欠き凹部１０９から離間して切り抜き１０３が形成されている。
【００３９】
他方の台紙１０２には、一方の台紙１０１の切り抜き１０３に対応する位置に、差し込み片１０５の輪郭を画定する切り込み１０４が形成されている。切り込み１０４は、他方の台紙１０２の谷折り１０６に平行な辺（側縁部）から、該辺に直交して谷折り１０６の向きに互いに平行な２本の線を含み、差し込み片１０５の先端は、該側縁部に位置し、先端の角は丸められている。差し込み片１０５の幅は、切り欠き凹部１０９の開口幅、切り抜き１０３の長さに対応している。
【００４０】
図７（Ｂ）は、マスク２０を二つ折り内側に収納したマスクホルダー１０を台紙１０１の表側からみた側面模式図である。図７（Ｂ）を参照すると、マスク２０を収納したマスクホルダー１０を二つ折りに折り畳んだ状態に係止する場合、差し込み片１０５は対向する一方の台紙１０１の切り欠き凹部１０９の底部に当接して折り曲げられ一方の台紙１０１の表面（二つ折り外側）側に一旦突出し、一方の台紙１０１の表面側（二つ折り外側）を切り欠き凹部１０９の底部から切り抜き１０３まで架空延在し、差し込み片１０５の先端部から切り抜き１０３に差し込まれ、二つ折り内側に突設させる。この操作により、マスクホルダー１０の台紙１０１と台紙１０２は、二つ折りに折り畳んだ状態に係止（保持）される。このため、二つ折りに畳まれた台紙１０１と台紙１０２が開いて収納したマスク２０がマスクホルダー１０から外に飛び出したり落ちたりすること等を抑制することができる。
【００４１】
図８（Ａ）、図８（Ｂ）は、図７（Ａ）、図７（Ｂ）の変形例を説明する図である。図８（Ａ）、（Ｂ）を参照すると、二つ折り加工された一方の台紙１０１と他方の台紙１０２の谷折り１０６と直交する二辺のうち一方の辺（底辺）の接着領域１０８で互いに接着加工されている。図８（Ｂ）に示すように、マスクホルダー１０の台紙１０１と台紙１０２は、二つ折りに折り畳んだ状態に係止（保持）される。このため、二つ折りに畳まれた台紙１０１と台紙１０２が開いて収納したマスク２０がマスクホルダー１０から外に飛び出したり落ちたりすること等を抑制することができる。また、マスクホルダー１０の谷折り１０６に直交する２辺のうちの一つが接着され閉じているため、マスクホルダー１０の当該辺が下側になっても、該辺からマスク２０が落下することが回避される。
【００４２】
図９（Ａ）、（Ｂ）は、本考案の実施形態の第５の変形例を説明する図である。図９（Ａ）は、二つ折りされたマスクホルダー１０を展開した平面模式図である。図９（Ｂ）は、マスク２０を収納したマスクホルダー１０を折り畳んで係止した状態を模式的に示す側面模式図である。図９（Ａ）、（Ｂ）の例は、本考案の実施形態の中でも最も簡易な構成の一つである。
【００４３】
図９（Ａ）を参照すると、第５の変形例に係るマスクホルダー１０は、二つ折り加工された一方の台紙１０１において、谷折り１０６と対向する側の上部角部側に角部から所定距離離間した位置に上部から縦方向に所定長さの切り込み１１０が形成されている。他方の台紙１０２には、台紙１０１の切り込み１１０に対応する位置に、切り込み１１０と直交する向きに、所定長さの切り込み１１１が形成されている。台紙１０２において、切り込み１１１と角部の縁とで差し込み片１０５を画定している。
【００４４】
切り込み１１０、１１１は、差し込み片１０５の差し込み時の強度の確保等のために、外縁側と反対側の端部が小円に切り抜かれている。
【００４５】
図９（Ｂ）は、マスク２０を二つ折り内側に収納したマスクホルダー１０を台紙１０１の表側からみた側面模式図である。図９（Ｂ）を参照すると、マスク２０を収納し二つ折りに畳んだ状態に係止する場合、利用者は、差し込み片１０５を、台紙１０２から浮かせその先頭部を上に折り曲げた状態（持ち上げた状態）で、二つ折り内側の対向する一方の台紙１０１の切り込み１１０に差し込み、差し込み片１０５は台紙１０１の切り込み１１０から表面側（二つ折り外側）に露出させる。この操作により、マスクホルダー１０の台紙１０１と台紙１０２は、二つ折りに折り畳んだ状態に係止（保持）される。このため、二つ折りに畳まれた台紙１０１と台紙１０２が開いて収納したマスク２０がマスクホルダー１０から外に飛び出したり落ちたりすること等を抑制することができる。
【００４６】
なお、図９（Ａ）において、二つ折り加工された一方の台紙１０１と他方の台紙１０２の谷折り１０６と直交する二辺のうち一方の辺（底辺）の接着領域（不図示）で互いに接着加工するようにしてもよい。
【００４７】
図１０（Ａ）、（Ｂ）は、図９（Ａ）、（Ｂ）の変形例を説明する図である。図１０（Ａ）を参照すると、この変形例に係るマスクホルダー１０は、二つ折り加工された一方の台紙１０１において、谷折り１０６と対向する側の上部角部側に角部から所定距離離間した位置に上部から縦方向に所定長さの切り込み１１０（１１０１、１１０２）が形成されている。他方の台紙１０２には、台紙１０１の切り込み１１０（切り込み１１０１、１１０２）に対応する位置に、切り込み１１０（１１０１、１１０２）と直交する向きに、所定長さの切り込み１１１（１１１１、１１１２）が形成されている。台紙１０２において、切り込み１１１と角部の縁とで、差し込み片１０５を画定している。
【００４８】
切り込み１１０１、１１０２は切り残し部を間に挟んで離間されている。切り込み１１１１、１１１２は切り残し部を間に挟んで離間されている。連続した切り込み１１０、１１１は、利用者が、切り込み１１０１、１１０２、及び切り込み１１１１、１１１２間の切り残し部を切り取ることで形成される。二つ折り加工された一方の台紙１０１と他方の台紙１０２の谷折り１０６と直交する二辺のうち一方の辺（底辺）の接着領域１０８で互いに接着加工されている。
【００４９】
なお、切り込み１１０は、図示のように、二つの切り込み１１０１、１１０２が互いに離間して配置され直線を形成しているが、切り込み１１０１、１１０２とその間の切り残し部は、切り取り用にミシン目加工されたものであってもよい。同様に、切り込み１１１は、図示のように、二つの切り込み１１１１、１１１２が互いに離間して配置され直線を形成しているが、切り込み１１１１、１１１２とその間の切り残し部は、切り取り用にミシン目加工されたものであってもよい。
【００５０】
図１０（Ｂ）を参照すると、マスク２０を収納し二つ折りに畳んだ状態に係止する場合、利用者は、切り込み１１０１、１１０２を互いに連通させその間の切り残し部を取り除き、切り込み１１１１、１１１２を互いに連通させその間の切り残し部を取り除く。
【００５１】
そして、差し込み片１０５を台紙１０２から浮かせ先頭部を折り曲げた状態で、差し込み片１０５の基部（先端部の反対側）が、二つ折り内側から対向する一方の台紙１０１の切り込み１１０にその上から差し込み、差し込み片１０５は台紙１０１の切り込み１１０から表面側（二つ折り外側）に露出させる。この操作により、マスクホルダー１０の台紙１０１と台紙１０２は、二つ折りに折り畳んだ状態に係止（保持）される。このため、二つ折りに畳まれた台紙１０１と台紙１０２が開いて収納したマスク２０がマスクホルダー１０から外に飛び出したり落ちたり、マスクホルダー１０の下部から落下すること等を抑制することができる。
【００５２】
図１１（Ａ）、（Ｂ）は、図９（Ａ）、（Ｂ）のさらなる変形例を説明する図である。図１１（Ａ）は、二つ折りされたマスクホルダー１０を展開した平面模式図である。図１１（Ｂ）は、マスク２０を収納したマスクホルダー１０を折り畳んで係止した状態を模式的に示す側面模式図である。
【００５３】
図１１（Ａ）を参照すると、この変形例に係るマスクホルダー１０は、台紙１０１において、上辺、下辺の切り込み１１０Ａ、１１０Ｂを備え、台紙１０２において、谷折り１０６に対向する辺の上側と下側に切り込み１１１Ａ、１１１Ｂを備えた構成とされる。この変形例では、台紙１０１の切り込み１１０Ａ、１１０Ｂ、台紙１０２の切り込み１１１Ａ、１１１Ｂと外縁（辺）との間に切り残し部を備えている。これらの切り残し部は、利用者が、マスクホルダー１０を、マスク２０を収納し折り畳んで係止させる場合に切り取る。なお、台紙１０１の切り込み１１０Ａ、１１０Ｂ、台紙１０２の切り込み１１１Ａ、１１１Ｂは、切り込みと外縁（辺）との間の切り残し部をなくして切り込みとしてもよいし、切り込みと切り残し部をミシン目で構成してもよい。
【００５４】
図１１（Ｂ）は、マスク２０を二つ折り内側に収納したマスクホルダー１０を台紙１０１の表側からみた側面模式図である。図１１（Ｂ）を参照すると、マスク２０を収納したマスクホルダー１０を二つ折りに折り畳んだ状態に係止する場合、利用者は、切り込み１１０Ａ、１１０Ｂ、１１１Ａ、１１１Ｂにそれぞれに対向する辺まで切り込みを入れる。そして、台紙１０２の差し込み片１０５Ａを、台紙１０２から浮かせ先頭部を上に折り曲げた状態で、差し込み片１０５Ａの基部（先端部の反対側）を、対向する一方の台紙１０１の切り込み１１０Ａの上側（上辺側）から差し込み、差し込み片１０５Ａを台紙１０１の切り込み１１０Ａから表面側（二つ折り外側）に露出させる。
【００５５】
同様にして、台紙１０２の差し込み片１０５Ｂを台紙１０２から浮かせ先頭部を上に折り曲げた状態で、差し込み片１０５Ｂの基部（先端部の反対側）を、対向する一方の台紙１０１の切り込み１１０Ｂの下側（下辺側）から差し込み、差し込み片１０５Ｂを台紙１０１の切り込み１１０Ｂから表面側（二つ折り外側）に露出させる。この操作により、マスクホルダー１０の台紙１０１と台紙１０２は、二つ折りに折り畳んだ状態に係止（保持）される。このため、二つ折りに畳まれた台紙１０１と台紙１０２が開いて収納したマスク２０がマスクホルダー１０から外に飛び出したり落ちたりすること等を抑制することができる。
【００５６】
なお、図１１（Ａ）において、二つ折り加工された一方の台紙１０１と他方の台紙１０２の谷折り１０６と直交する二辺のうち一方の辺（底辺）の接着領域（不図示）で互いに接着加工するようにしてもよい。
【００５７】
なお、上記実施形態では、二つ折り加工又は二つ折りのずらし加工される台紙を矩形形状としているが、本考案はかかる構成に制限されるものでなく、例えば、谷折りをセンターとして幼児向けに、子供やアニメのキャラクタの顔、サル、タヌキ、ウサギ、ゾウ等の動物の形状等であってもよい。
【符号の説明】
【００５８】
１０  マスクホルダー
２０  マスク
２１  耳ひも
１０１  台紙（二つ折り加工された一方の台紙）
１０２  台紙（二つ折り加工された台紙の他方の台紙）
１０３  切り抜き（切り抜き）
１０４  切り取り
１０５  差し込み片（係止片）
１０６  谷折り
１０７  山折り
１０８  接着領域
１０９  切り欠き凹部
１１０  切り込み
１１１  切り込み
【図１】
0003230550.tif 000003
【図２】
0003230550.tif 000004
【図３】
0003230550.tif 000005
【図４】
0003230550.tif 000006
【図５】
0003230550.tif 000007
【図６】
0003230550.tif 000008
【図７】
0003230550.tif 000009
【図８】
0003230550.tif 000010
【図９】
0003230550.tif 000011
【図１０】
0003230550.tif 000012
【図１１】
0003230550.tif 000013
【図１２】
0003230550.tif 000014
【手続補正書】
【提出日】令和2年12月15日(2020.12.15)
【手続補正１】
【補正対象書類名】明細書
【補正対象項目名】０００１
【補正方法】変更
【補正の内容】
【０００１】
本考案は、マスクを収納するマスクホルダーに関する。
【手続補正２】
【補正対象書類名】明細書
【補正対象項目名】０００９
【補正方法】変更
【補正の内容】
【０００９】
本考案によれば、台紙自体の加工だけの簡易な構成で、収納したマスクが飛び出したり落ちたりすること等を防ぐことを可能とした二つ折りのマスクホルダーを提供可能としている。
【手続補正３】
【補正対象書類名】明細書
【補正対象項目名】００１０
【補正方法】変更
【補正の内容】
【００１０】
【図１】（Ａ）、（Ｂ）は本考案の実施形態の構成を説明する図である。
【図２】（Ａ）、（Ｂ）は本考案の実施形態の変形例を説明する図である。
【図３】（Ａ）、（Ｂ）は本考案の実施形態の第２の変形例の構成を説明する図である。
【図４】（Ａ）、（Ｂ）は本考案の実施形態の第２の変形例の変形を説明する図である。
【図５】（Ａ）、（Ｂ）は本考案の実施形態の第３変形例の構成を説明する図である。
【図６】（Ａ）、（Ｂ）は本考案の実施形態の第３の変形例の変形を説明する図である。
【図７】（Ａ）、（Ｂ）は本考案の実施形態の第４の変形例の構成を説明する図である。
【図８】（Ａ）、（Ｂ）は本考案の実施形態の第４の変形例の変形を説明する図である。
【図９】（Ａ）、（Ｂ）は本考案の実施形態の第５の変形例の構成を説明する図である。
【図１０】（Ａ）、（Ｂ）は本考案の実施形態の第５の変形例の変形を説明する図である。
【図１１】（Ａ）、（Ｂ）は本考案の実施形態の第５の変形例のさらなる変形を説明する図である。
【図１２】関連技術を説明する図である。